(57)【要約】【課題】扉棚係用突起部の補強が容易に達成出来ることを目的とし、発泡充填を容易とした冷蔵庫を提供すること。【解決手段】扉内板１１の左右両側に対をなす土手壁１６を、上記扉内板と一体に設け、この両土手壁１６の相対向する内面に相対向する係止突１５ａ、１５ｂを複数個設け、この係止突起１５ａ、１５ｂに扉棚１３側の係合溝１４を嵌合させ、該扉棚１３を扉内板１１に取付けるようにした冷蔵庫に於いて、前記係止突起１５ａ、１５ｂの下面を連結突起１７により結合し、そこに発泡断熱材１２を充填するようにしたことで係止突起１５ａ、１５ｂの強度を容易にアップすることができる。【選択図】図４
2006046790.tif 000002
【特許請求の範囲】
【請求項１】
冷蔵庫本体の前面開口部を開閉する扉本体を構成する扉内板と扉外板と発泡断熱材とを備え、前記扉内板の左右両側に形成した縦方向の土手壁を上記扉内板と一体に備え、この両土手壁の相対向する内面に相対向する係止突起を複数個備え、この係止突起に扉棚側の係合溝を嵌合させ、該扉棚を扉内板に取付けるようにし、前記係止突起の下面を連結し、連結部に発泡断熱材を充填するようにしたことを特徴とする冷蔵庫の扉棚取付装置。
【請求項２】
係止突起と土手壁との接合面にＣ面を設け、発泡断熱材充填時に該中空部に発泡断熱材を充填しやすくしたことを特徴とする請求項１に記載の冷蔵庫の扉棚取付構装置。
【発明の詳細な説明】
【技術分野】
【０００１】
本発明は、冷蔵庫の扉棚取付装置に関するものである。
【背景技術】
【０００２】
従来、この種の冷蔵庫の扉棚取付装置は、扉本体を構成する扉内板の左右両側に形成した縦方向の土手壁を上記扉内板と一体に設け、この両土手壁の相対向する内面に相対向する係止突起を設け、この係止突起に扉棚側の係合溝を嵌合させ、該扉棚を扉内板に取付けるようにした冷蔵庫が主流である。（例えば、特許文献１参照）
図６は、特許文献１に記載された従来の冷蔵庫用扉の断面図、図７は従来の冷蔵庫用扉棚の要部斜視図を示すものである。
【０００３】
図６、７において、冷蔵庫本体の前面開口に取付けられた回転式の扉本体１で、扉外板２と、扉内板３と、扉棚４から構成されている。扉本体１は前記扉外板２と扉内板３により閉ざされた空間に発泡断熱材５を充填して、扉の断熱性を確保している。上記扉内板３は、２mm程度の板厚の合成樹脂シートを真空成形等により作られる。上記扉棚４は上記扉内板３と一体に形成された係止突起６に上記扉棚４の係合溝７を係合させることにより取付けられている。また、係止突起６も上記扉内板３の真空成形時に同時に形成されるものである。
【特許文献１】特開平８−１２１９４９号公報
【発明の開示】
【発明が解決しようとする課題】
【０００４】
しかしながら、上記従来の冷蔵庫の構成では、近年冷蔵庫の大型化、内容積効率を高めるために土手壁は薄壁に作られる。そのため、先の合成樹脂を延ばして作る係止突起の肉厚は十分に確保出来ない。また、先の扉棚を係合させる係止突起内に発泡断熱材を充填することが難しく、強度不足という欠点があった。さらに補強しようとすると、複雑な部品等が必要となりコストアップとなるという課題を有していた。
【０００５】
本発明は、上記従来の課題を解決するもので、係止突起の下面を連結し、係止突起を一体することにより補強し発泡断熱材を充填することで強度を上げるとともに、係止突起と土手壁との面にＣ面を設けることにより係止突起部に発泡断熱材を充填しやすくした冷蔵庫の扉棚取付装置を提供することを目的とする。
【課題を解決するための手段】
【０００６】
上記従来の課題を解決するために、本発明の冷蔵庫の扉棚取付装置は、係止突起の下側を連結し、係止突起を一体化により補強し発泡断熱材を充填させ強度を上げるとともに、係止突起と土手壁との面にＣ面を設けることにより係止突起部に発泡断熱材を充填しやすくしたものである。
【０００７】
これによって、係止突起内の発泡断熱材の充填性がよくなり、かつ下面を一体に連結することにより係止突起の強度をアップすることができる。
【発明の効果】
【０００８】
本発明の冷蔵庫の扉棚取付装置は、係止突起内の発泡断熱材の充填性がよくなり、かつ下面を一体に連結することにより係止突起の強度アップすることができる。
【発明を実施するための最良の形態】
【０００９】
請求項１に記載の発明は、冷蔵庫本体の前面開口部を開閉する扉本体を構成する扉内板と扉外板と発泡断熱材とを備え、前記扉内板の左右両側に形成した縦方向の土手壁を上記扉内板と一体に備え、この両土手壁の相対向する内面に相対向する係止突起を複数個備え、この係止突起に扉棚側の係合溝を嵌合させ、該扉棚を扉内板に取付けるようにし、前記係止突起の下面を連結し、連結部に発泡断熱材を充填するようにしたものであり、係止突起の強度を容易にアップすることができる。
【００１０】
請求項２に記載の発明は、請求項１に記載の発明において、係止突起と土手壁との接合面にＣ面を設け、発泡断熱材充填時に該中空部に発泡断熱材を充填しやすくしたものであり、充填性が向上し係止突起の強度アップすることができる。
【００１１】
以下、本発明の実施の形態について、図面を参照しながら説明する。なお、この実施の形態によってこの発明が限定されるものではない。
【００１２】
（実施の形態１）
図１は、本発明の実施の形態１の冷蔵庫の扉を開いて示した正面図を示し、図２は、本発明の実施の形態１の冷蔵庫用扉の横断面図を示し、図３は、図１に使われている扉棚の要部斜視図を示すものである。図４は、同実施の形態による冷蔵庫の扉内板の要部斜視図を示すものである。
【００１３】
図１から図４において、冷蔵室扉本体８は、冷蔵庫本体９の前面開口部を覆うヒンジ式の回転扉である。
【００１４】
そして、冷蔵室扉本体８は扉外板１０、扉内板１１、発泡断熱材１２、それに扉棚１３等より構成されている。上記発泡断熱材１２は扉外板１０と扉内板１１とが作る、空間に充填されるものである。
【００１５】
また、上記扉内板１１は真空成形等により一体に作られている。なお真空成形時に用いられる合成樹脂シートは、１．５ｍｍ〜２．０ｍｍ位の薄いシートである。１４は、扉棚１３を先の扉内板１１に取付ける時に使用される係合溝１４を有している。この係合溝１４は扉内板１１と一体に形成された係止突起１５ａ、１５ｂに嵌合するものである。１６は、上記扉内板１１の左右両側に対をなすように縦方向に扉内板１１と一体に設けられた土手壁。１５ａ、１５ｂは、先の両土手壁１６の相対向する内面に設けられた係止突起。この係止突起１５ａ、１５ｂも前記土手壁１６同様に扉内板１１と一体に形成されているものである。１７は、係止突起１５ａ、１５ｂの下面間を互いに直行するように連結する連結突起で、係止突起１５ａ、１５ｂとでコの字状に一体結合するものである。この連結突起１７も前記土手壁１６同様に扉内板１１と一体に形成されている。この係止突起１５ａ、１５ｂに、扉棚１３側の係合溝１４が嵌合し、係合溝１４下面が連結突起１７まで当たり、扉内板１１に取付けられるものである。
【００１６】
上記構成により、発泡断熱材１２を充填する際、土手壁１６に流れる発泡断熱材１２が土手壁１６と平行に構成される連結突起１７に流れやすくなり、さらには連結突起１７から係止突起１５ａ、１５ｂへと流れるため流動性がよくなる。そのため係止突起１５ａ、１５ｂへの全体の補強を容易に達成することができる。また、扉棚１３の係合溝１４下面が連結突起１７の支えとなり、強度がアップすることができる。
【００１７】
（実施の形態２）
図５は本発明の実施の形態２における冷蔵庫用扉の横断面図を示すものである。図において、係止突起１５ａと土手壁１６との面にＣ面１８を設け、発泡断熱材充填時に該中空部の開口を広くすることで、発泡断熱材が充填しやすくなり充填性を向上するものである。さらには、係止突起１５ａの断面積を大きくすることで、強度をアップすることができる。
【産業上の利用可能性】
【００１８】
以上のように、本発明にかかる冷蔵庫の扉棚取付装置は、扉棚係合用係止突起の補強が容易に達成出来るものである。このことにより、断熱材の発泡を容易とし、かつ補強構造を簡素化することができる。
【図面の簡単な説明】
【００１９】
【図１】本発明の実施の形態１の冷蔵庫の扉を開いて示した正面図
【図２】本発明の実施の形態１における冷蔵庫用扉の横断面図
【図３】同冷蔵庫における冷蔵庫用扉棚の要部斜視図
【図４】同冷蔵庫における冷蔵庫用扉内板の要部斜視図
【図５】本発明の実施の形態２における冷蔵庫用扉の横断面図
【図６】従来の冷蔵庫用扉の横断面図
【図７】同冷蔵庫における冷蔵庫用扉棚の要部斜視図
【符号の説明】
【００２０】
８    冷蔵庫扉本体
１０    扉外板
１１    扉内板
１２    発泡断熱材
１３    扉棚
１４    係合溝
１５ａ、１５ｂ    係止突起
１６    土手壁
１７    連結突起
１８    Ｃ面
【図１】
2006046790.tif 000003
【図２】
2006046790.tif 000004
【図３】
2006046790.tif 000005
【図４】
2006046790.tif 000006
【図５】
2006046790.tif 000007
【図６】
2006046790.tif 000008
【図７】
2006046790.tif 000009